(57)【要約】      （修正有）【課題】視覚障がい者がエスカレータを利用した場合でもエスカレータの進行方向を確実に認識することができるとともに、広告媒体、宣伝媒体としての機能を付与した乗客搭乗用エスカレータを提供する。【解決手段】手摺りベルト１の表面にさらに、そのベルトの少なくとも一部において、所定のパターンを有する印刷帯域をもった長尺の印刷フィルム１１が貼付されており、印刷帯域が、所定数の印刷区画１２が予め定められた順序で配列されておりかつ隣接する印刷区画どうしが明度を異にする複数個の印刷区画からなる印刷ブロック１３を一単位として保有しており、かつ視覚障がい者がエスカレータの進行方向を肉眼で視認可能であるように構成する。【選択図】図５
2009107742.tif 000002
【特許請求の範囲】
【請求項１】
乗客等の移動を補助するために用いられる乗客搭乗用エスカレータであって、複数個の移動可能なステップと、該ステップの両脇に立設された側壁と、該側壁によって支持され、前記ステップの移動と同期して同一の速度で同一の方向に移動可能なエンドレスの手摺りベルトとを含む乗客搭乗用エスカレータにおいて、
前記手摺りベルトの表面にさらに、そのベルトの少なくとも一部において、所定のパターンを有する進行方向印刷帯域をもった長尺の印刷フィルムが前記手摺りベルトに沿って貼付されており、
前記進行方向印刷帯域は、所定数の印刷区画が予め定められた順序で配列されておりかつ隣接する印刷区画どうしが明度を異にする複数個の印刷区画からなる印刷ブロックを一単位として保有していて、視覚障がい者が該エスカレータの進行方向を肉眼で視認可能であることを特徴とする乗客搭乗用エスカレータ。
【請求項２】
１単位の前記印刷ブロックが配置されているか、１単位の前記印刷ブロックが繰り返して配置されているか、さもなければ２単位もしくはそれ以上の異なる前記印刷ブロックが規則的にもしくはランダムに配置されていることを特徴とする請求項１に記載の乗客搭乗用エスカレータ。
【請求項３】
前記印刷ブロックを構成する複数個の前記印刷区画は、隣接する印刷区画どうしが形状又はサイズを同一もしくは異にすることを特徴とする請求項１又は２に記載の乗客搭乗用エスカレータ。
【請求項４】
前記進行方向印刷帯域には、エスカレータの進行方向を具体的に示す表示がさらに印刷されていることを特徴とする請求項１〜３のいずれか１項に記載の乗客搭乗用エスカレータ。
【請求項５】
前記印刷ブロックの１単位は、１０〜５００ｃｍの長さであることを特徴とする請求項１〜４のいずれか１項に記載の乗客搭乗用エスカレータ。
【請求項６】
隣接する印刷区画どうしの明度差は、ＪＩＳ  Ｚ８７２１において規定される方法に準じてマンセル表色系、標準光Ｃ、２度視野で測定したときに少なくとも１以上であることを特徴とする請求項１〜５のいずれか１項に記載の乗客搭乗用エスカレータ。
【請求項７】
乗客搭乗用エスカレータの手摺りベルトに貼付される長尺のエスカレータ用印刷フィルムであって、
前記印刷フィルムは、そのフィルムの少なくとも一部において、所定のパターンをもった進行方向印刷帯域を有しており、
前記進行方向印刷帯域は、所定数の印刷区画が予め定められた順序で配列されておりかつ隣接する印刷区画どうしが明度を異にする複数個の印刷区画からなる印刷ブロックを一単位として保有していて、前記印刷フィルムをエスカレータの手摺りベルトに貼付して使用したとき、視覚障がい者が前記エスカレータの進行方向を肉眼で視認可能であることを特徴とするエスカレータ用印刷フィルム。
【請求項８】
１単位の前記印刷ブロックが配置されているか、１単位の前記印刷ブロックが繰り返して配置されているか、さもなければ２単位もしくはそれ以上の異なる前記印刷ブロックが規則的にもしくはランダムに配置されていることを特徴とする請求項７に記載のエスカレータ用印刷フィルム。
【請求項９】
前記印刷ブロックを構成する複数個の前記印刷区画は、隣接する印刷区画どうしが形状又はサイズを同一もしくは異にすることを特徴とする請求項７又は８に記載のエスカレータ用印刷フィルム。
【請求項１０】
前記進行方向印刷帯域には、エスカレータの進行方向を具体的に示す表示がさらに印刷されていることを特徴とする請求項７〜９のいずれか１項に記載のエスカレータ用印刷フィルム。
【請求項１１】
前記印刷ブロックの１単位は、１０〜５００ｃｍの長さであることを特徴とする請求項７〜１０のいずれか１項に記載のエスカレータ用印刷フィルム。
【請求項１２】
隣接する印刷区画どうしの明度差は、ＪＩＳ  Ｚ８７２１において規定される方法に準じてマンセル表色系、標準光Ｃ、２度視野で測定したときに少なくとも１以上であることを特徴とする請求項７〜１１のいずれか１項に記載のエスカレータ用印刷フィルム。
【請求項１３】
前記印刷フィルムは、該印刷フィルムの両側に施された前記進行方向印刷帯域からなる第１の印刷帯域と該第１の印刷帯域によって挟まれた進行方向非印刷帯域からなる第２の印刷帯域とを有しており、
前記第２の印刷帯域の幅は少なくとも６０ｍｍであることを特徴とする請求項７〜１２のいずれか１項に記載のエスカレータ用印刷フィルム。
【発明の詳細な説明】
【技術分野】
【０００１】
本発明は、乗客等の移動を補助するために用いられるエスカレータに関し、さらに詳しく述べると、手摺りベルトにいわゆるユニバーサルデザインを付与したエスカレータと、そのようなエスカレータの手摺りベルトに貼付される、ユニバーサルデザインを印刷により付与した長尺の手摺りベルト用印刷フィルムに関する。
【背景技術】
【０００２】
周知の通り、エスカレータは、乗客等の移動に用いられる搬送手段であって、典型的には、異なる床面の移動を補助するために階段等に設置される上昇型及び下降型エスカレータと、同一床面あるいは僅かに傾斜した床面における移動を補助するために床面、傾斜地等に設置される平面移動型エスカレータとがある。従来、いろいろなタイプのエスカレータが発表され、駅構内、建屋内などに設置され、場所によっては屋外に設置されている場合もある。また、利用者の利便性、安全性などを考慮して、多くの改良がエスカレータやその付属装置に対して改良が加えられている。
【０００３】
例えば特許文献１は、遠方からでも側面からでも容易に乗り口と降り口を認識できるようにするため、図１に示したようなマンコンベア（エスカレータ）を提案している。図示のエスカレータは、乗降口１２４から階段１２０に乗って上昇するエスカレータであり、欄干１２１で支持された手摺りベルト１３０に明色柔軟性弾性部材１３７が埋め込まれている。弾性部材１３７を識別マークとして利用することで、利用者に対して、エスカレータの運転方向を視認性高く理解させることができる。
【０００４】
また、特許文献２及び３は、手摺りベルトの移動方法を見やすく表示し、もって転倒事故等を防止する構成としたエスカレータの手摺りベルトを提案している。例えば特許文献３は、図２に示されるように、欄干２１１上を手摺りベルト２０５が案内され、手摺りベルト２０５の長手方向にそって長尺の印刷シート２０６が接着固定されているエスカレータを提案している。手摺りベルト２０５の表面には、この手摺りベルト２０５とは色を異にするとともに、移動方向を表示する方向表示マーク２０６Ａを、反転部の半半径範囲Ｈ内に少なくとも１個存在するように複数個有し、２個の方向表示マーク２０６Ａの間にはさらに、幅狭で注意文字や広告を表示した表示部２０６Ｂを付与した印刷シート２０６を設けている。
【０００５】
【特許文献１】特開２００５−６７８３７号公報（特許請求の範囲、図５）
【特許文献２】特開２００６−３４７７６３（特許請求の範囲、図２）
【特許文献３】特開２００６−３４７７６４（特許請求の範囲、図２）
【発明の開示】
【発明が解決しようとする課題】
【０００６】
上記したように、従来のエスカレータでも、遠方からでも側面からでも容易に乗り口と降り口を認識できるようにしたり、手摺りベルトの移動方法を見やすく表示し、もって転倒事故等を防止したりするため、エスカレータの手摺りベルトに工夫をこらしている。しかしながら、従来のエスカレータの場合、高齢者などが利用したときに利用しやすく、転倒事故等を防止することが目的であるため、視覚障がい者がエスカレータを利用する場合には依然として利用上の問題点が残されている。例えば視覚障がい者がエスカレータを利用する場合、彼ら／彼女らにとっては色の識別を容易に行うことができないため、手摺りベルトに付与されている識別マーク、方向表示マーク、注意文字などを確実に認識することが困難である。
【０００７】
本発明の目的は、このような好ましくない状況を打破すること、すなわち、健常者が通常通り利用できることはもちろんのこと、特に視覚障がい者がエスカレータを利用した場合でもエスカレータの進行方向を確実に認識することができるエスカレータを提供することにある。
【０００８】
本発明の目的はまた、エスカレータの進行方向の認識やそれによる転倒事故等の防止に加えて、従来ほとんど利用されていない手摺りベルトに広告媒体等としての機能を付与することのできるエスカレータを提供することにある。
【０００９】
本発明の目的はさらに、上記のような本発明のエスカレータを提供するのに有用な手摺りベルト用印刷フィルムを提供することにある。
【００１０】
本発明のこれらの目的やその他の目的は、以下の詳細な説明から容易に理解することができるであろう。
【課題を解決するための手段】
【００１１】
本発明は、その１つの面において、乗客等の移動を補助するために用いられる乗客搭乗用エスカレータであって、複数個の移動可能なステップ（踏み台）と、該ステップの両脇に立設された側壁と、該側壁によって支持され、前記ステップの移動と同期して同一の速度で同一の方向に移動可能なエンドレスの手摺りベルトとを含む乗客搭乗用エスカレータにおいて、
前記手摺りベルトの表面にさらに、そのベルトの少なくとも一部において、所定のパターンを有する進行方向印刷帯域をもった長尺の印刷フィルムが前記手摺りベルトに沿って貼付されており、
前記進行方向印刷帯域は、所定数の印刷区画が予め定められた順序で配列されておりかつ隣接する印刷区画どうしが明度を異にする複数個の印刷区画からなる印刷ブロックを一単位として保有していて、視覚障がい者が該エスカレータの進行方向を肉眼で視認可能であることを特徴とする乗客搭乗用エスカレータにある。
【００１２】
また、本発明は、そのもう１つの面において、乗客搭乗用エスカレータの手摺りベルトに貼付される長尺のエスカレータ用印刷フィルムであって、
前記印刷フィルムは、そのフィルムの少なくとも一部において、所定のパターンをもった進行方向印刷帯域を有しており、
前記進行方向印刷帯域は、所定数の印刷区画が予め定められた順序で配列されておりかつ隣接する印刷区画どうしが明度を異にする複数個の印刷区画からなる印刷ブロックを一単位として保有していて、前記印刷フィルムをエスカレータの手摺りベルトに貼付して使用したとき、視覚障がい者が前記エスカレータの進行方向を肉眼で視認可能であることを特徴とするエスカレータ用印刷フィルムにある。
【発明の効果】
【００１３】
本発明によれば、以下の詳細な説明から理解されるように、長尺の手摺りベルト用印刷フィルムの全体に、さもなければ印刷フィルムの少なくとも一部分に、いわゆるユニバーサルデザイン、特にカラーユニバーサルデザインを印刷及び必要に応じてその他の手段で付与したことにより、例えば次のような注目すべき効果を得ることができる。
【００１４】
本発明の印刷フィルムを手摺りベルトに貼付した場合、利用者が健常者である場合、通常は無地であった手摺りベルトの側面部に付与されたカラーブロックの繰り返しによる印刷帯域により手摺りベルトの美観を向上させ、利用者の印象を向上させることができる。加えて、手摺りベルトの平面部には各種のメッセージ、例えば広告、宣伝、標語等のコマーシャルもしくは非コマーシャル情報を自由なデザインで付与することができるので、今までほとんど利用されることのなかった手摺りベルトで製品等の広告、観光地等の宣伝、各種のキャンペーンなどを行うことができ、広告媒体等としての優れた機能が発現する。
【００１５】
特に本発明の手摺りベルトには、様々な利用者が使いやすいように配色等を考慮したユニバーサルデザインを取り込んだカラーブロックの繰り返しによる進行方向印刷帯域がベルトの側面を利用して備わっているので、特に弱視者や色弱者などの視覚障がい者がエスカレータを利用した場合でもエスカレータの進行方向を容易にかつ確実に認識することができ、誤って乗車したり、乗車すべきステップを見誤ったり、さらには誤って転倒することなどを防止することができるという点で朗報である。なお、「弱視者」とは、視力の弱い人たちを指し、また、「色弱者」とは、色の判断力や感じ方が健常者とは異なる人たち、例えば色覚異常、色弱、色覚障がい、色覚特性などハンディキャップをもった人たちを指している。
【発明を実施するための最良の形態】
【００１６】
本発明による乗客搭乗用エスカレータ及び手摺りベルト用印刷フィルムは、それぞれ、いろいろな形態で有利に実施することができる。以下、本発明の好ましい形態を添付の図面を参照しながら説明するが、本発明は下記の形態に限定されるものではない。
【００１７】
最初に、本発明の良好な理解のため、印刷フィルムの少なくとも一部に本発明に従い付与されている「カラーユニバーサルデザイン」について説明する。カラーユニバーサルデザインとは、多様な色覚をもつさまざまな人たちを配慮して、なるべくすべての人に情報がきちんと伝わるように、利用者側の視点にたって作られたデザインを指している。このデザインを選定するに当っては、
１．実際の照明条件、使用条件等の各種の条件を想定して、どのような色覚の人にもなるべく見分けやすい配色を選ぶこと、
２．色に加えて、形の違い、位置の違い、線種や塗り分けパターンの違いなどを併用し、利用者が色を見分けられない場合にも確実に情報が伝わるようにすること、
などに注意を払う必要がある。
【００１８】
本発明の実施において、エスカレータは、特に限定されるものではなく、現在一般的に使用されているエスカレータばかりではなく、今後に開発され、使用されるであろう改良されたエスカレータも包含する。以下、本発明を適用可能なエスカレータを一般的に説明する。
【００１９】
エスカレータは、主として、デパート、スーパーマーケット、商用ビル、事務用ビル、駅舎、船舶等において顧客、乗客等の利用者がフロア間の移動をスムースに行うために設置し、利用される輸送機器である。エスカレータは、通常、例えば３０度あるいは３５度の傾斜角度をもった階段状のエスカレータであるが、場合によっては、同一のフロアあるいは平地を移動するのを補助するために平面型のエスカレータ、いわゆる「動く歩道」など、が利用される場合もある。エスカレータは、周知の通り、通常、複数個の移動可能なステップと、これらのステップの両脇に立設された側壁と、それぞれの側壁によって支持され、ステップの移動と同期して同一の速度で同一の方向に移動可能なエンドレスの手摺りベルトと、例えば駆動ユニット（電動機及び減速歯車）及び駆動チェーンを含む駆動装置とをもって構成される。
【００２０】
本発明を適用することのできるエスカレータは、いろいろな場所で使用されているものを包含する。エスカレータの設置場所の一例を挙げると、下記のものに限定されないが、交通機関の駅舎やその周辺、大型、一般あるいは一般商業施設の屋内やその周辺、公共施設やその関連建物の屋内やその周辺、医療機関の屋内やその周辺、イベント会場、展示会場、アミューズメント施設等の屋内やその周辺、船舶などを挙げることができる。
【００２１】
図３は、本発明による乗客搭乗用エスカレータの好ましい一形態を示した模式図であり、図４は、図３の線分VI-VIに沿った断面図である。本発明のエスカレータ１０は、この技術分野で乗客搭乗用エスカレータとして一般的に認識されている構成を有しており、したがって常用の手法によって製造することができる。よって、エスカレータの構成及び製造の詳細は、以下において説明を省略する。エスカレータ１０は、図示されるように、複数個の移動可能なステップ７と、ステップ７の両脇に立設された側壁（欄干）６と、欄干６によって支持され、ステップ７の移動と同期して同一の速度で同一の方向に移動可能なエンドレスの手摺りベルト１とを備えている。なお、図では階段等の傾斜個所に上昇用に設けられたエスカレータが示されているが、このエスカレータは、進行方向印刷帯域の印刷パターンの向きを反転させて下降用に設けてもよく、また、図示しないが、平坦もしくはほぼ平坦な個所に２地点間を移動可能なように設けてもよい。
【００２２】
さらに詳しく述べると、エスカレータ１０は、下部乗り場３と上部降り場４との間には、エンドレスのステップ（階段）７を支持しており、ステップ７を移動するための駆動装置（図示せず）などが内蔵されている主枠５が配設されている。ステップ７は、下部乗り場３と上部降り場４との間を循環及び移動可能である。また、主枠５には、主枠５の長手方向に沿って、一対の欄干６が立設されている。欄干６は、ステップ７の移動に同期せず、固定されている。各欄干６には、ステップ７の移動に同期して移動可能に手摺りガイド２が取り付けられており、また、手摺りガイド２にはエンドレスの手摺りベルト１が装着されている。手摺りベルト１は、例えばウレタン樹脂などの弾性プラスチック材料から形成されており、また、図示されるように、ほぼＣ字形の断面を有している。手摺りベルト１は、ステップ７の移動と同期して、同一の速度でかつ同一の方向に移動可能である。また、手摺りベルト１には、その表面の全体を覆って本発明による長尺の印刷フィルム１１が貼付されている。なお、図４では手摺りベルト１の表面の全体を覆って印刷フィルム１１が貼付されているが、印刷フィルム１１は、必要に応じて、手摺りベルト１の平面を除く部分、すなわち、手摺りベルト１の片側の部分だけに、あるいは手摺りベルト１の両側の部分に、あるいは手摺りベルト１の中央部とその近傍を含む部分だけに貼付されていてもよい。また、以下に詳細に説明するが、長尺の印刷フィルム１１自体も、その進行方向印刷帯域の配置をいろいろな形態で行うことができる。例えば、進行方向印刷帯域は、印刷フィルム１１の表面全体に配置してもよく、印刷フィルム１１の片側の部分だけに配置してもよく、印刷フィルム１１の両側の部分に配置してもよく、さもなければ、印刷フィルム１１の中央部とその近傍を含む部分だけに配置してもよい。
【００２３】
印刷フィルム１１は、通常、基材と、基材の裏面に施された接着剤層とからなる。基材は、特に限定されないが、例えばポリウレタンフィルム、ポリエステルフィルム、ポリオレフィンフィルム、ポリ塩化ビニルフィルムなどのプラスチックフィルムから有利に形成することができる。基材は、一般的に無色もしくは白色であるが、必要に応じて他の色に着色されていたり、模様などを有していてもよい。但し、本発明において表面に付与される進行方向印刷帯域との区別が明確となるようにするため、通常、無地であるのが好ましい。基材の幅は、手摺りベルトの全面に貼付するか、それとも手摺りベルトの両端面のみに貼付するかで変ってくるが、通常、手摺りベルトの全幅以下、通常、約１２０〜１３０ｍｍである。基材の厚さは、通常、約０．１〜０．３５ｍｍである。
【００２４】
基材の裏面に施される接着剤層は、常用の接着剤から形成することができる。適当な接着剤は、以下のものに限定されないが、例えば、アクリル系接着剤、ウレタン系接着剤、塩化ビニル系接着剤などである。これらの接着剤をバーコート法などによって基材の裏面に塗布することができる。接着剤層の厚さは、通常、約０．０１〜０．０５ｍｍである。
【００２５】
印刷フィルムは、通常、ロールの形態に巻き取られている印刷フィルム製品から必要長さを巻き出して切断し、長尺の印刷フィルムの形で使用することができる。別法によれば、すでに長尺の印刷フィルムの形で製品となっているシート状の印刷フィルム製品を使用してもよい。使用する印刷フィルム製品は、通常、取扱い性などを改良するため、接着剤層を保護した剥離紙をさらに有することが好ましい。ここで使用する剥離紙は、この技術分野で一般的に使用されているもの、例えば接着剤層の側にテフロン（登録商標）コートを有するプラスチックフィルムなどである。さらに、幅広の大型サイズの印刷フィルム製品をまず作製し、次いで、同時に裁断することによって、個々の印刷フィルム製品を多数個取りしてもよい。
【００２６】
図５は、本発明による印刷フィルムの好ましい一形態を示したものであり、斜視図（Ａ）と平面図（Ｂ）が示されている。図示の例は、印刷フィルム１１を幅狭で作製し、手摺りベルト１の平面を除く部分、すなわち、両端面とその近傍を含む部分に限って貼付した例である。図中、帯域Ｉは、手摺りベルト１の中央を占有する平面部であり、本発明ではこの帯域を「進行方向非印刷領域」と呼ぶ。図示の進行方向非印刷領域Ｉは、下地である手摺りベルト１が露出しているので、例えば黒色、青色、灰色等の手摺りベルトの色１ａがそのまま見える帯域である。進行方向非印刷領域Ｉの両側に、図中IIで指示する「進行方向印刷帯域」が存在する。進行方向印刷帯域IIは、本発明の印刷フィルム１１によって形成されている。進行方向印刷帯域IIには、ブロック化した両サイドエリアをそれぞれ明るさの異なる地色に色分けし、カラーユニバーサルデザインを付与したことで、視覚障がい者がエスカレータを利用しようとしたとき、エスカレータの進行方向を肉眼で視認可能である。
【００２７】
図示の印刷フィルム１１についてさらに詳しく説明すると、印刷フィルム１１は、約１２０〜１３０ｍｍの幅をもった手摺りベルト１の両端面１ｂ上に貼付されている。印刷フィルム１１の幅は、約３０ｍｍである。図示されるように、進行方向印刷帯域IIは、所定のパターンをもっており、図示の例では、印刷区画１２（区画Ａ、Ｂ、Ｃ及びＤ）が順に配列されて１つの印刷ブロック１３を形成している。また、印刷ブロック１３は、それを一単位として繰り返し配列されている。また、隣接する印刷区画１２どうしは、カラーユニバーサルデザインを付与するため、それぞれの明度を異にしている。隣接する印刷区画１２どうしの明度差は、好ましくは、ＪＩＳ  Ｚ８７２１において規定される方法に準じてマンセル表色系、標準光Ｃ、２度視野で測定したときに少なくとも１以上であり、さらに好ましくは２以上である。明度差の範囲が上記の範囲を外れると、満足し得るカラーユニバーサルデザインを付与することができない。
【００２８】
印刷区画１２及び印刷ブロック１３についてさらに説明すると、印刷ブロック１３は１０００ｍｍを１単位として繰り返されており、区画Ａは、長さが１００ｍｍで赤色（色相、明度／彩度＝７．５Ｒ、５／１４；以下同様）、区画Ｂは長さが４００ｍｍで黄色（５Ｙ、８／１４）、区画Ｃは長さが４００ｍｍで青色（５ＰＢ、４／１０）、そして区画Ｄは長さが１００ｍｍで灰色（明度８）である。よって、隣接する印刷区画間の明度差を上記の規定に従って測定すると、区画Ａ（赤色）と区画Ｂ（黄色）の明度差は３、区画Ｂ（黄色）と区画Ｃ（青色）の明度差は４、区画Ｃ（青色）と区画Ｄ（灰色）の明度差は４、そして区画Ｄ（灰色）と区画Ａ（赤色）の明度差は３である。なお、かかる構成は一例であって、以下においても具体的に説明するように、本発明の範囲でいろいろに変更することができる。好ましい態様をまとめて記載すると、次のようになる。
【００２９】
（１）図５では１単位の印刷ブロック１３を印刷区画１２（区画Ａ、Ｂ、Ｃ及びＤの４区画）から構成したけれども、区画数はこの４個に限定されるものではない。例えば、もしも所望とするカラーユニバーサルデザインを達成することができるのであるならば、区画Ａ、Ｂ、Ｃ及びＤに代えて、区画Ａ及びＢの２区画から、あるいは区画Ａ、Ｂ及びＣの３区画から、あるいは区画Ａ、Ｂ、Ｃ、Ｄ及びＥの５区画や区画Ａ、Ｂ、Ｃ、Ｄ、Ｅ…のより多数の区画から、印刷ブロック１３を構成することができる。すなわち、１単位中の印刷区画の数は、印刷ブロックのサイズや、１単位の長さ、デザイン等に応じて決定することができる。また、図５では採用していないが、印刷ブロックにメリハリを付けたり、視認性を向上させたりするため、相隣り合った印刷区画の間や印刷区画の周囲に黒色、白色等の太線やセパレーション領域などを設けてもよい。
【００３０】
（２）図５に示したように、１単位の印刷ブロック１３が繰り返して配置されていてもよく、さもなければ、２単位もしくはそれ以上の異なる印刷ブロックが配置されていてもよい。ここで、複数の印刷ブロックを配置するとき、それらの印刷ブロックは、規則的に配置されていてもよく、ランダムに配置されていてもよい。なぜなら、それぞれの印刷ブロックは、満足すべきカラーユニバーサルデザインを保証するものであるからである。また、印刷ブロックを複数の単位で配置した場合には、ある単位で貼り付けの失敗があったり、ある単位の一部の印刷区画のみが汚染したり破損したりしたときに、その汚染もしくは破損印刷区画をもった単位のみを交換すればすむので、非常に有利である。さらに、以下に説明するように、印刷ブロックをそれらのブロックによって奏される広告表示機能と関連して考察した場合、視野範囲の最適化や美観の向上などの面で有利である。さらに、必要ならば、印刷ブロックの繰り返しを行うことを省略して、手摺りベルト上の印刷フィルムを全体として１単位の印刷ブロックから構成してもよい。
【００３１】
（３）印刷ブロック１３を構成する複数個の印刷区画１２は、隣接する印刷区画１３どうしの形状やサイズが同一であってもよく、異なっていてもよい。例えば、印刷区画１２は図５に示したように矩形のブロックであってもよいが、必要に応じて、例えば丸形、楕円形、三角形、四角形、菱形、星形などの形状や、鉛筆、ボールペン、列車、車等の乗物などの物品や動物などを具象的にデザインした印刷区画１２を任意に組み合わせて印刷ブロック１３を構成してもよい。もちろん、印刷区画１２のサイズも任意に変更可能である。
【００３２】
（４）進行方向印刷帯域IIには、エスカレータの進行方向を具体的に示す表示がさらに印刷されていてもよい。適当な表示としては、例えば、矢印や進行方向を想起させるに足るマークやその組み合わせなどを挙げることができる。また、このような表示は、例えば印刷フィルムが進行方向印刷帯域IIと組み合わせて同一の印刷フィルムからなる透明、半透明もしくは不透明又はメッセージを印刷した進行方向非印刷帯域を合わせて含む場合、その部分にも印刷してもよい。さらに、カラーユニバーサルデザイン効果を高めるため、進行方向印刷帯域（印刷ブロック又は印刷区画）や進行方向非印刷帯域に、その帯域に印刷してある色を、例えば「黄」、「青」、「赤」などというように具体的に表示することが好ましい。色名を記入することによって、エスカレータの利用者が、色名を使用してコミュニケーションをとることも可能であるからである。
【００３３】
（５）図５において、印刷ブロック１３の一単位の長さを１０００ｍｍとしたけれども、これに限定されるものではなく、印刷ブロックを構成する印刷区画の形状やサイズ、所望とするカラーユニバーサルデザイン効果に応じて任意に変更することができる。印刷ブロックの一単位の長さは、約１０〜５００ｃｍであり、例えば通常、約１０〜２００ｃｍの長さが好ましい。印刷ブロックの長さが１０ｃｍ未満では色の変化が多くなりすぎるため、識別しにくくなる。印刷ブロックの長さが５００ｃｍを超えると、視野の大部分を印刷ブロックが占めることになり、色の変化を捉えにくくなる。印刷ブロックの一単位の長さは、さらに好ましくは、約８０〜１２０ｃｍの範囲である。また、隣接する印刷ブロックは、そのサイズが変動することが望ましい。サイズが変動することで、印刷ブロックごとに識別力が高くなるからである。なお、サイズの違いは、印刷フィルムの長さ方向（進行方向）あるいは幅方向のいずれであってもよい。
【００３４】
（６）上記したように、隣接する印刷区画１２どうしの明度差は、ＪＩＳ  Ｚ８７２１において規定される方法に準じてマンセル表色系、標準光Ｃ、２度視野で測定したときに少なくとも１以上であり、好ましくは約２以上である。
【００３５】
（７）進行方向印刷帯域IIは、それによって所望とするカラーユニバーサルデザイン効果が得られる限り、任意のパターンで各印刷区画を形成し、完成することができる。適当なパターンとしては、先にものべたように、例えばストライプパターン、円形パターン、楕円形パターン、矩形パターン、三角形パターン、星形パターン、鉛筆、列車等の具象的なデザインなどやそれらの組み合わせを挙げることができる。もちろん、これらのパターンのサイズは、任意に変更可能である。
【００３６】
（８）印刷フィルム１１は、いろいろな幅を有することができ、手摺りベルト１の全面に貼付するのかあるいはその一部分、例えば端部領域のみに貼付するかによってその幅を変動可能である。印刷フィルム１１は、手摺りベルト１の全面に貼付する場合には、その幅は、通常、約１００〜１４０ｍｍの範囲であり、大抵の場合、手摺りベルトに一般的な全幅にあわせて１３０ｍｍ前後である。また、手摺りベルト１の端部領域のみに貼付する場合には、その幅は、通常、約２０〜４０ｍｍの範囲である。もちろん、この幅は一例であって、所望とする効果などに応じて任意に変更することができる。
【００３７】
（９）例えば印刷フィルム１１を手摺りベルト１の片側領域もしくは両側領域のみに貼付するような場合、印刷フィルム１１の幅は通常約２０〜４０ｍｍである。この場合、印刷フィルム１１の全幅に進行方向印刷帯域IIが施されていることが好ましい。なお、印刷フィルム１１は、必要に応じて、手摺りベルト１の中央部に貼付してもよい。
【００３８】
（１０）例えば印刷フィルム１１を手摺りベルト１の全面に貼付するような場合、印刷フィルム１１の幅は通常約１００〜１４０ｍｍである。この場合、印刷フィルム１１の全幅に進行方向印刷帯域IIが施されていることが好ましい。また、この１変形例によれば、印刷フィルム１１は、その幅が約１００〜１４０ｍｍであり、この印刷フィルムの両側に進行方向印刷帯域IIが施されていてもよい。この場合には、２つの進行方向印刷帯域IIによって挟まれた中央部が進行方向非印刷帯域Ｉとなっている。進行方向非印刷帯域Ｉの幅は、特に限定されるものではないが、その配置目的を考慮した場合、通常、少なくとも約６０ｍｍであることが好ましく、特に６０〜７０ｍｍ前後が好適である。進行方向非印刷帯域Ｉは、透明、半透明又は不透明であってもよく、さもなければ無地であってもよく、場合によっては模様やパターンなどが印刷されていてもよい。なお、進行方向非印刷帯域Ｉは、基本的に進行方向の印刷を有しない領域であるが、デザイン等の関係で必要であるならば、進行方向印刷帯域IIと同様な、あるいはそれとは別の進行方向印刷やその他の印刷を有していてもよい。進行方向印刷は、先に説明したように、いろいろな形態で具現することができる。加えて、印刷フィルムにメリハリを付けたり、視認性を向上させたりするため、相隣り合った進行方向非印刷帯域Ｉ及び進行方向印刷帯域IIの間に黒色、白色等の太線やセパレーション領域などを設けてもよい。
【００３９】
（１１）印刷フィルムには、コマーシャルもしくは非コマーシャル情報が、メッセージとしてさらに印刷されていてもよい。例えば、もう１つの好ましい態様において、例えば印刷フィルム１１を手摺りベルト１の全面に貼付するような場合、印刷フィルム１１の幅は通常約１００〜１４０ｍｍであるが、印刷フィルム１１を、印刷フィルム１１の両側に施された進行方向印刷帯域IIからなる第１の印刷帯域と、２つの第１の印刷帯域によって挟まれた進行方向非印刷帯域Ｉからなる第２の印刷帯域とから構成することができる。このような印刷フィルム１１において、第１の印刷帯域は、前述のような進行方向印刷帯域IIから構成することができる。第２の印刷帯域は、先に定義し、説明したような進行方向非印刷帯域Ｉから構成することができる。進行方向非印刷帯域Ｉは、以下に図８、図１４などを参照して説明するように、任意のメッセージあるいはパターン、例えば広告、宣伝、キャンペーン等のコマーシャル目的の情報やコマーシャルを目的としない情報が印刷されていてもよい。また、進行方向非印刷帯域Ｉは、上記したように、進行方向印刷帯域IIと同様な、あるいはそれとは別の進行方向印刷やその他の印刷を有していてもよい。
【００４０】
第２の印刷帯域、すなわち、進行方向非印刷帯域Ｉの幅は、特に限定されるものではないが、その配置目的を考慮した場合、通常、少なくとも約６０ｍｍであることが好ましく、特に６０〜７０ｍｍ前後が好適である。さらに、印刷フィルムにメリハリを付けたり、視認性を向上させたりするため、相隣り合った進行方向非印刷帯域Ｉ及び進行方向印刷帯域IIの間に黒色、白色等の太線やセパレーション領域などを設けてもよい。
【００４１】
再び図面の説明に戻ると、図６は、図５の印刷フィルムの一変形例を示したものであり、図５と同様に、斜視図（Ａ）と平面図（Ｂ）が示されている。図５及び図６の比較から理解される通り、本例では、印刷フィルム１１を幅広で作製し、手摺りベルト１の全面に貼付している。すなわち、進行方向印刷帯域IIが手摺りベルト１の全面に存在する。進行方向印刷帯域IIには、ブロック化したエリアをそれぞれ明るさの異なる地色に色分けし、カラーユニバーサルデザインを付与したことで、視覚障がい者がエスカレータを利用しようとしたとき、エスカレータの進行方向を肉眼で視認可能である。
【００４２】
図示の印刷フィルム１１についてさらに詳しく説明すると、印刷フィルム１１は、約１２０〜１３０ｍｍの幅をもった手摺りベルト１の全面に貼付されている。よって、印刷フィルム１１の幅は、約１２０〜１３０ｍｍである。進行方向印刷帯域IIは、印刷区画１２（区画Ａ、Ｂ、Ｃ及びＤ）が順に配列されて１つの印刷ブロック１３を形成している。また、印刷ブロック１３は、それを一単位として繰り返し配列されている。また、隣接する印刷区画１２どうしは、カラーユニバーサルデザインを付与するため、それぞれの明度を異にしている。隣接する印刷区画１２どうしの明度差は、少なくとも１以上であり、さらに好ましくは、約２以上である。明度差の範囲が上記の範囲を外れると、満足し得るカラーユニバーサルデザインを付与することができない。
【００４３】
印刷区画１２及び印刷ブロック１３についてさらに説明すると、印刷ブロック１３は１０００ｍｍを１単位として繰り返されており、区画Ａは、長さが１００ｍｍで赤色（７．５Ｒ、５／１４）、区画Ｂは長さが４００ｍｍで黄色（５Ｙ、８／１４）、区画Ｃは長さが４００ｍｍで青色（５ＰＢ、４／１０）、そして区画Ｄは長さが１００ｍｍで灰色（明度８）である。よって、隣接する印刷区画間の明度差を前記の規定に従って測定すると、区画Ａ（赤色）と区画Ｂ（黄色）の明度差は３、区画Ｂ（黄色）と区画Ｃ（青色）の明度差は４、区画Ｃ（青色）と区画Ｄ（灰色）の明度差は４、そして区画Ｄ（灰色）と区画Ａ（赤色）の明度差は３である。
【００４４】
図５及び図６の印刷区画１２及び印刷ブロック１３から理解される通り、区画Ａが明度の低い色からなるときには、隣接する区画Ｂにおいて明度の高い色を使用し、さらにその隣りの区画Ｃにおいて再び明度の低い色を使用し、そしてその隣りの区画Ｄにおいて再び明度の高い色を使用することが好ましい。相隣接する区画の明度差は、少なくとも１であることが好ましい。もちろん、それぞれの区画の色は、上記した赤色、黄色、青色、そして灰色に限定されるものではない。例えば図６に示したようなパターンでは、印刷ブロックの効果に加え、さらに２パターンのバリエーションが可能となる。よって、デザインに採用できる色の組み合わせが広がり、色覚タイプによる色の見え方などの違いにも、より幅広く対応することができる。
【００４５】
図７は、図６に示した印刷フィルムの変形例を示したものであり、図６と同様に、斜視図（Ａ）と平面図（Ｂ）が示されている。図７の変形例によれば、印刷フィルム１１は、その幅が約１００〜１４０ｍｍであり、この印刷フィルムの両側（フィルム１１ｂ）に進行方向印刷帯域IIが施されており、２つの進行方向印刷帯域IIによって挟まれた中央部（フィルム１１ａ）が進行方向非印刷帯域Ｉａとなっている。進行方向非印刷帯域Ｉａの幅は、少なくとも約６０ｍｍであることが好ましい。進行方向印刷帯域IIは、前述のようにして構成することができる。また、進行方向非印刷帯域Ｉａは、フィルム基材が透明であるので、透明となっているが、必要に応じてフィルム基材を変更して、半透明あるいは不透明などに変更可能である。なお、進行方向非印刷帯域Ｉａには、必要に応じて、進行方向を示す印刷などを付与してもよく、また、相隣り合った進行方向非印刷帯域Ｉａ及び進行方向印刷帯域IIの間に黒色、白色等の太線やセパレーション領域などを設けてもよい。ここでもまた、印刷ブロック１３は１０００ｍｍを１単位として繰り返されており、区画Ａは、長さが１００ｍｍで赤色（７．５Ｒ、５／１４）、区画Ｂは長さが４００ｍｍで黄色（５Ｙ、８／１４）、区画Ｃは長さが４００ｍｍで青色（５ＰＢ、４／１０）、そして区画Ｄは長さが１００ｍｍで灰色（明度８）である。よって、隣接する印刷区画間の明度差を前記の規定に従って測定すると、区画Ａ（赤色）と区画Ｂ（黄色）の明度差は３、区画Ｂ（黄色）と区画Ｃ（青色）の明度差は４、区画Ｃ（青色）と区画Ｄ（灰色）の明度差は４、そして区画Ｄ（灰色）と区画Ａ（赤色）の明度差は３である。
【００４６】
図８も、図６に示した印刷フィルムの変形例を示したものであり、図６と同様に、斜視図（Ａ）と平面図（Ｂ）が示されている。図８の変形例によれば、印刷フィルム１１は、その幅が約１００〜１４０ｍｍであり、印刷フィルム１１の両側（フィルム１１ｂ）に施された進行方向印刷帯域IIからなる第１の印刷帯域と、フィルム中央部（フィルム１１ａ）にあって、２つの第１の印刷帯域によって挟まれた進行方向非印刷帯域Ｉｂからなる第２の印刷帯域とから構成されている。ここでもまた、印刷ブロック１３は１０００ｍｍを１単位として繰り返されており、区画Ａは、長さが１００ｍｍで赤色（７．５Ｒ、５／１４）、区画Ｂは長さが４００ｍｍで黄色（５Ｙ、８／１４）、区画Ｃは長さが４００ｍｍで青色（５ＰＢ、４／１０）、そして区画Ｄは長さが１００ｍｍで灰色（明度８）である。よって、隣接する印刷区画間の明度差を上記の規定に従って測定すると、区画Ａ（赤色）と区画Ｂ（黄色）の明度差は３、区画Ｂ（黄色）と区画Ｃ（青色）の明度差は４、区画Ｃ（青色）と区画Ｄ（灰色）の明度差は４、そして区画Ｄ（灰色）と区画Ａ（赤色）の明度差は３である。
【００４７】
このような印刷フィルム１１において、第１の印刷帯域は、前述のような進行方向印刷帯域IIから構成することができる。第２の印刷帯域は、先に定義し、説明したような進行方向非印刷帯域Ｉｂから構成することができる。進行方向非印刷帯域Ｉｂは、任意のメッセージあるいはパターン、例えば広告、宣伝、キャンペーン等のコマーシャルを目的する情報やコマーシャルを目的としない情報を印刷することによって構成することができる。なお、図示の例では、説明を簡単にするために、ｕｎｉｏｎ、ＰＥＮＳ等のメッセージ２０を付与することで、進行方向非印刷帯域Ｉｂに情報を印刷することの説明を行っているが、実際にはよりいろいろな文字、マーク、写真等を印刷することによって製品価値、美観などを高めることができることを理解されたい。進行方向非印刷帯域Ｉｂの幅は、少なくとも約６０ｍｍであることが好ましい。また、進行方向非印刷帯域Ｉｂは、進行方向を示す印刷などを有していてもよい。さらに、相隣り合った進行方向非印刷帯域Ｉｂ及び進行方向印刷帯域IIの間に黒色、白色等の太線やセパレーション領域などを設けてもよい。
【００４８】
図９は、図８に示した印刷フィルムのさらに別の変形例を示したものであり、図８と同様に、斜視図（Ａ）と平面図（Ｂ）が示されている。図９の変形例によれば、印刷フィルム１１は、その幅が約１００〜１４０ｍｍであり、印刷フィルム１１の両側（フィルム１１ｂ）に施された進行方向印刷帯域IIからなる第１の印刷帯域と、フィルム中央部（フィルム１１ａ）にあって、２つの第１の印刷帯域によって挟まれた進行方向非印刷帯域Ｉｂからなる第２の印刷帯域とから構成されている。進行方向非印刷帯域Ｉｂは、ブロック２２の組み合わせからなる。
【００４９】
このような印刷フィルム１１において、第１の印刷帯域は、前述のような進行方向印刷帯域IIから構成することができるけれども、本例の場合、区画Ｂ及びＣの進行方向印刷帯域IIは、図示される通り、その一部が区画Ｂ及びＣの進行方向非印刷帯域Ｉｂの一部（隣接する区画との境界領域）を構成している。また、色分けパターンの作成において、三原色に加えて白色及び黒色を加えることでより良好なコントラストを達成している。さらに、コントラストを付けたブロック２２に対して文字、マーク、写真等のメッセージを印刷することで認識力をさらに向上させている。ここで、ブロック状に配置された第２の印刷帯域は、基本的に、先に定義し、説明したような進行方向非印刷帯域Ｉｂから構成することができる。例えば、進行方向非印刷帯域Ｉｂのブロック２２には、図示していないが、任意のメッセージあるいはパターン、例えば広告、宣伝、キャンペーン等のコマーシャルを目的する情報やコマーシャルを目的としない情報を印刷することができる。進行方向非印刷帯域Ｉｂの幅は、少なくとも約６０ｍｍであることが好ましく、通常、７０ｍｍ程度である。また、進行方向非印刷帯域Ｉｂは、進行方向を示す印刷などを有していてもよい。さらに、相隣り合った進行方向非印刷帯域Ｉｂ及び進行方向印刷帯域IIの間に黒色、白色等の太線やセパレーション領域などを設けてもよい。図示のような構成を採用することにより、進行方向印刷帯域IIの印刷区画１２及び印刷ブロック１３と進行方向非印刷帯域Ｉｂのブロック２２との間でさまざまな組み合わせが可能となり、表現力の向上を図ることができる。
【００５０】
進行方向印刷帯域IIの印刷区画１２及び印刷ブロック１３ならびに進行方向非印刷帯域Ｉｂのブロック２２についてさらに説明すると、印刷ブロック１３は、１０００ｍｍを１単位として繰り返されている。区画Ａは、長さが１００ｍｍで、進行方向印刷帯域IIが赤色（７．５Ｒ、５／１４）、進行方向非印刷帯域Ｉｂが水色（２．５ＰＢ、９／２）である。区画Ｂは、長さが４００ｍｍで、進行方向印刷帯域IIが黄色（５Ｙ、８／１４）で、その黄色領域で進行方向非印刷帯域Ｉｂの茶色（７．５Ｒ、３／８）のブロック２２を包囲している。すなわち、区画Ａの水色領域と区画Ｂの茶色領域の間には黄色領域が存在している。区画Ｃは、長さが４００ｍｍで、進行方向印刷帯域IIが青色（５ＰＢ、４／１０）で、その青色領域で進行方向非印刷帯域Ｉｂの白色（明度９）のブロック２２を包囲している。すなわち、区画Ｂの茶色領域と区画Ｃの白色領域の間には黄色領域及び青色領域が存在している。区画Ｄは、長さが１００ｍｍで、進行方向印刷帯域IIが灰色（明度８）、進行方向非印刷帯域Ｉｂが黒色（明度２）である。すなわち、区画Ｃの白色領域と区画Ｄの黒色領域の間には青色領域が存在している。このような印刷ブロック１３において、区画Ａ（赤色）と区画Ｂ（黄色）の明度差は３、区画Ｂ（黄色）と区画Ｃ（青色）の明度差は４、区画Ｃ（青色）と区画Ｄ（灰色）の明度差は４、そして区画Ｄ（灰色）と区画Ａ（赤色）の明度差は３である。
【００５１】
図１０は、図９に示した印刷フィルムのさらに別の変形例を示したものであり、図９と同様に、斜視図（Ａ）と平面図（Ｂ）が示されている。図１０の変形例によれば、印刷フィルム１１は、その幅が約１００〜１４０ｍｍであり、印刷フィルム１１の両側（フィルム１１ｂ）に施された進行方向印刷帯域IIからなる第１の印刷帯域と、フィルム中央部（フィルム１１ａ）にあって、２つの第１の印刷帯域によって挟まれた進行方向非印刷帯域Ｉｂからなる第２の印刷帯域とから構成されている。進行方向非印刷帯域Ｉｂは、ブロック２２の組み合わせからなり、相隣接するブロック２２の周囲には白色領域２３を配置している。
【００５２】
このような印刷フィルム１１において、第１の印刷帯域は、前述のような進行方向印刷帯域IIから構成することができる。第２の印刷帯域は、基本的に、先に定義し、説明したような進行方向非印刷帯域Ｉｂから構成することができる。しかし、本例の場合、三原色に加えて黒色を加えることでより良好なコントラストを達成している。また、ブロック２２の形状及びサイズを進行方向印刷帯域IIの印刷区画１２とは独立して、任意のデザインで構成しているので、美観や表現機能の向上等を達成している。さらに、ブロック２２の周囲に白色領域２３を配置しているので、コントラストのより一層の向上を図っている。さらに加えて、コントラストを付けたブロック２２に対して文字、マーク、写真等のメッセージを印刷しているので、認識力をさらに向上させている。ここで、ブロック状に配置された第２の印刷帯域は、基本的に、先に定義し、説明したような進行方向非印刷帯域Ｉｂから構成することができる。例えば、進行方向非印刷帯域Ｉｂのブロック２２には、図示していないが、任意のメッセージあるいはパターン、例えば広告、宣伝、キャンペーン等のコマーシャルを目的する情報やコマーシャルを目的としない情報を印刷することができる。進行方向非印刷帯域Ｉｂの幅は、少なくとも約６０ｍｍであることが好ましく、通常、７０ｍｍ程度である。また、進行方向非印刷帯域Ｉｂは、進行方向を示す印刷などを有していてもよい。さらに、本例の場合、それぞれのブロック２２の周囲を白色領域２３で包囲しているが、これに代えて黒色、白色等の太線や黒色等のセパレーション領域などを設けてもよい。図示のような構成を採用することにより、進行方向印刷帯域IIの印刷区画１２及び印刷ブロック１３ならびに進行方向非印刷帯域Ｉｂのブロック２２及び白色領域２３においてさまざまな組み合わせが可能となり、表現力の向上を図ることができる。
【００５３】
進行方向印刷帯域IIの印刷区画１２及び印刷ブロック１３ならびに進行方向非印刷帯域Ｉｂのブロック２２及び白色領域２３についてさらに説明すると、印刷ブロック１３は、１０００ｍｍを１単位として繰り返されている。区画Ａは、長さが１００ｍｍで、進行方向印刷帯域IIが赤色（７．５Ｒ、５／１４）、進行方向非印刷帯域Ｉｂのブロック２２（Ｅを参照）が水色（２．５ＰＢ、９／２）、そして水色のブロック２２を白色領域（明度９）２３が包囲している。区画Ｂは、長さが４００ｍｍで、進行方向印刷帯域IIが黄色（５Ｙ、８／１４）、進行方向非印刷帯域Ｉｂのブロック２２（Ｆを参照）が茶色（７．５Ｒ、３／８）、そして茶色のブロック２２を白色領域（明度９）２３が包囲している。区画Ｃは、長さが４００ｍｍで、進行方向印刷帯域IIが青色（５ＰＢ、４／１０）、進行方向非印刷帯域Ｉｂのブロック２２（Ｆを参照）が茶色（７．５Ｒ、３／８）、そして茶色のブロック２２を白色領域（明度９）２３が包囲している。区画Ｄは、長さが１００ｍｍで、進行方向印刷帯域IIが灰色（明度８）、進行方向非印刷帯域Ｉｂのブロック２２（Ｇを参照）が黒色（明度２）、そして黒色のブロック２２を白色領域（明度９）２３が包囲している。
【００５４】
図１１は、図９に示した印刷フィルムのさらに別の変形例を示したものであり、図９と同様に、斜視図（Ａ）と平面図（Ｂ）が示されている。この印刷フィルムは、エスカレータの進行方向を具体的に示す表示２１が進行方向印刷帯域IIにさらに印刷されている点を除いて、基本的には図９の印刷フィルムに同じであり、よって進行方向非印刷帯域Ｉｂ及び進行方向印刷帯域IIについての詳細な説明を省略する。なお、エスカレータの進行方向を具体的に示す表示２１は、図示のような位置に配置したときにエスカレータを側面から見たときにも進行方向の識別が容易に可能であるが、進行方向の識別ができる限り、その他の位置に配置されていてもよい。また、表示２１は、図示のような矢印マークであってもよく、その他の表示、例えば矢印以外のマークやその組み合わせなどであってもよい。デザインの統一性、美観などを考えると、印刷区画ごとに表示のマークを変えないで、同一のマークを使用することが推奨される。図１３は、本発明の実施において表示２１として使用することのできる矢印やその他のマークの一例を示したものである。このように表示のデザインを変更するだけでも、エスカレータを利用するとき、利用者の視覚に訴えるものも変わってくる。
【００５５】
さらに、進行方向印刷帯域IIに印刷する表示２１は、コントラストを高め、視認性を向上させるため、色分けして印刷することが好ましい。よって、図示の例ではそれぞれの表示（矢印）２１の色を変更している。例えば、区画Ａでは、図で見て上側の矢印２１を白色（明度９）で印刷し、下側の矢印２１を隣接する区画Ｂの黄色（５Ｙ、８／１４）で印刷し、赤色（７．５Ｒ、５／１４）のベース上に白色及び黄色の矢印が浮かび上がるように工夫している。同様に、区画Ｂでは、図で見て上側の矢印２１を隣接する区画Ａの赤色（７．５Ｒ、５／１４）で印刷し、下側の矢印２１を区画Ｄの黒色（明度２）で印刷している。このようにすることによって、黄色（５Ｙ、８／１４）のベース上に赤色及び黒色の矢印が浮かび上がるように工夫している。区画Ｃでは、図で見て上側の矢印２１をピンク色（１０Ｐ、８／４）で印刷し、下側の矢印２１を黄緑色（１０Ｙ、８／１０）で印刷している。このようにすることによって、青色（５ＰＢ、４／１０）のベース上にピンク色及び黄緑色の矢印が浮かび上がるように工夫している。また、区画Ｄでは、図で見て上側の矢印２１を隣接する区画Ａの赤色（７．５Ｒ、５／１４）で印刷し、下側の矢印２１を隣接する区画Ｃの青色（５ＰＢ、４／１０）で印刷している。このようにすることによって、灰色（明度８）のベース上に赤色及び青色の矢印が浮かび上がるように工夫している。
【００５６】
図１２は、図１０に示した印刷フィルムのさらに別の変形例を示したものであり、図１０と同様に、斜視図（Ａ）と平面図（Ｂ）が示されている。この印刷フィルムは、エスカレータの進行方向を具体的に示す表示２１が進行方向印刷帯域IIにさらに印刷されている点を除いて、基本的には図１０の印刷フィルムに同じであり、よって進行方向非印刷帯域Ｉｂ及び進行方向印刷帯域IIについての詳細な説明を省略する。なお、エスカレータの進行方向を具体的に示す表示２１は、図示のような位置に配置したときにエスカレータを側面から見たときにも進行方向の識別が容易に可能であるが、進行方向の識別ができる限り、その他の位置に配置されていてもよい。また、表示２１は、図示のような矢印マークであってもよく、その他の表示、例えば矢印以外のマークやその組み合わせなどであってもよい（例えば、図１３を参照されたい）。さらに、デザインの統一性、美観などを考えると、印刷区画ごとに表示のマークを変えないで、同一のマークを使用することが推奨される。
【００５７】
さらに、進行方向印刷帯域IIに印刷する表示２１は、コントラストを高め、視認性を向上させるため、色分けして印刷することが好ましい。よって、図示の例ではそれぞれの表示（矢印）２１の色を変更している。例えば、区画Ａでは、図で見て上側の矢印２１を白色（明度９）で印刷し、下側の矢印２１を隣接する区画Ｂの黄色（５Ｙ、８／１４）で印刷し、赤色（７．５Ｒ、５／１４）のベース上に白色及び黄色の矢印が浮かび上がるように工夫している。同様に、区画Ｂでは、図で見て上側の矢印２１を隣接する区画Ａの赤色（７．５Ｒ、５／１４）で印刷し、下側の矢印２１を区画Ｇの黒色（明度２）で印刷している。このようにすることによって、黄色（５Ｙ、８／１４）のベース上に赤色及び黒色の矢印が浮かび上がるように工夫している。区画Ｃでは、図で見て上側の矢印２１をピンク色（１０Ｐ、８／４）で印刷し、下側の矢印２１を黄緑色（１０Ｙ、８／１０）で印刷している。このようにすることによって、青色（５ＰＢ、４／１０）のベース上にピンク色及び黄緑色の矢印が浮かび上がるように工夫している。また、区画Ｄでは、図で見て上側の矢印２１を隣接する区画Ａの赤色（７．５Ｒ、５／１４）で印刷し、下側の矢印２１を隣接する区画Ｃの青色（５ＰＢ、４／１０）で印刷している。このようにすることによって、灰色（明度８）のベース上に赤色及び青色の矢印が浮かび上がるように工夫している。
【００５８】
図１４は、本発明によるエスカレータ用印刷フィルムのさらにもう１つの好ましい形態を示した平面図である。印刷フィルム１１は、印刷フィルム１１の両側に施された進行方向印刷帯域IIからなる第１の印刷帯域と、フィルム中央部にあって、２つの第１の印刷帯域によって挟まれた進行方向非印刷帯域Ｉｂからなる第２の印刷帯域とから構成されている。この印刷フィルム１１の場合、進行方向印刷帯域IIを構成する印刷ブロック１３は、前述の印刷フィルムのように色分け印刷区画（ブロック）の連続によって形成することに代えて、それぞれ色分けされている菱形マークＡ、楕円形マークＢ、円形マークＣ及び楕円形マークＤの組み合わせによって形成されている。これらの異なるマークの組み合わせを繰り返すことで、進行方向印刷帯域IIができあがる。なお、図示しないが、進行方向印刷帯域IIには、進行方向を示す色分け表示、例えば矢印を適所に印刷してもよい。また、進行方向非印刷帯域Ｉｂは、図では参考のため、「ステーショナリーフェアー開催中」なる簡単なロゴを付与することで説明している。もちろん、進行方向非印刷帯域Ｉｂは、かかるロゴを付与することに限定されるものではなく、前述のように、任意のメッセージあるいはパターン、例えば広告、宣伝、キャンペーン等のコマーシャルを目的する情報やコマーシャルを目的としない情報を印刷することによって構成することができる。
【００５９】
さらに詳しく述べると、印刷フィルム１１は、その幅が約１００〜１４０ｍｍである。この印刷フィルムにおいて、進行方向印刷帯域IIを構成する印刷ブロック１３は１０００ｍｍを１単位として繰り返されており、区画Ａは、長さが１００ｍｍで、青色（２．５Ｂ、５／６）の菱形マークを有し、区画Ｂは、長さが４００ｍｍで緑色（５ＧＹ、７／６）の楕円形マークを有し、区画Ｃは、長さが１００ｍｍで、赤紫色（２．５ＲＰ、４／１０）の丸形マークを有し、そして区画Ｄは、長さが４００ｍｍで、緑色（５ＧＹ、７／６）の楕円形マークを有している。下地には、コントラスト及び視認性を高めるため、橙色（１０Ｒ、９／２）が配色されている。進行方向非印刷帯域Ｉｂには、上述のように、いろいろな文字、マーク、写真等が印刷されている。進行方向非印刷帯域Ｉｂの幅は、少なくとも約６０ｍｍであることが好ましい。本例のように、色分け印刷区画（ブロック）に代えて異なる形状を有する色分けマークを進行方向印刷帯域IIを使用した場合にも、比較可能な良好な視認性を保証することができ、あわせて、広告効果、転倒防止効果なども達成することができる。
【図面の簡単な説明】
【００６０】
【図１】従来のエスカレータの一例を示した斜視図である。
【図２】従来のエスカレータのもう１つの例を示した断面図である。
【図３】本発明による乗客搭乗用エスカレータの好ましい一形態を示した模式図である。
【図４】図３の線分VI-VIに沿った断面図である。
【図５】本発明によるエスカレータ用印刷フィルムの好ましい一形態を示した斜視図（Ａ）及び平面図（Ｂ）である。
【図６】本発明によるエスカレータ用印刷フィルムのもう１つの好ましい形態を示した斜視図（Ａ）及び平面図（Ｂ）である。
【図７】本発明によるエスカレータ用印刷フィルムのもう１つの好ましい形態を示した斜視図（Ａ）及び平面図（Ｂ）である。
【図８】本発明によるエスカレータ用印刷フィルムのもう１つの好ましい形態を示した斜視図（Ａ）及び平面図（Ｂ）である。
【図９】本発明によるエスカレータ用印刷フィルムのもう１つの好ましい形態を示した斜視図（Ａ）及び平面図（Ｂ）である。
【図１０】本発明によるエスカレータ用印刷フィルムのもう１つの好ましい形態を示した斜視図（Ａ）及び平面図（Ｂ）である。
【図１１】本発明によるエスカレータ用印刷フィルムのもう１つの好ましい形態を示した斜視図（Ａ）及び平面図（Ｂ）である。
【図１２】本発明によるエスカレータ用印刷フィルムのもう１つの好ましい形態を示した斜視図（Ａ）及び平面図（Ｂ）である。
【図１３】本発明によるエスカレータ用印刷フィルムに付与することのできる進行方向表示の好ましい例を示した模式図である。
【図１４】本発明によるエスカレータ用印刷フィルムのさらにもう１つの好ましい形態を示した平面図である。
【符号の説明】
【００６１】
１    手摺りベルト
６    欄干
７    ステップ
１０    エスカレータ
１１    印刷フィルム
１２    印刷区画
１３    印刷ブロック
２０    メッセージ
２１    進行方向表示
２２    ブロック
２３    白色領域
Ｉ    進行方向非印刷帯域
II    進行方向印刷帯域
【図１】
2009107742.tif 000003
【図２】
2009107742.tif 000004
【図３】
2009107742.tif 000005
【図４】
2009107742.tif 000006
【図５】
2009107742.tif 000007
【図６】
2009107742.tif 000008
【図７】
2009107742.tif 000009
【図８】
2009107742.tif 000010
【図９】
2009107742.tif 000011
【図１０】
2009107742.tif 000012
【図１１】
2009107742.tif 000013
【図１２】
2009107742.tif 000014
【図１３】
2009107742.tif 000015
【図１４】
2009107742.tif 000016